(57)【要約】【課題】リペア作業を含む器具や手術セットの管理を容易にすること【解決手段】  システム１０では、第１記憶部１０１は、器具に一対一で関連付けられた器具ＩＤを記憶している。第２記憶部１０２は、複数の器具で構成された手術セットに一対一で関連付けられたセットＩＤを記憶している。第３記憶部１０３は、前記器具ＩＤに関連付けて、リペア作業の作業情報を含む当該器具ＩＤで特定される器具の作業履歴を記憶するように構成されている。第４記憶部１０４は、前記セットＩＤに関連付けて、リペア作業の作業情報を含む当該セットＩＤで特定される手術セットの作業履歴を記憶するように構成されている。【選択図】図１
2020021304.tif 000002
【特許請求の範囲】
【請求項１】
器具に一対一で関連付けられた器具ＩＤを記憶した第１記憶部と、
複数の器具で構成された手術セットに一対一で関連付けられたセットＩＤを記憶した第２記憶部と、
前記器具ＩＤに関連付けて、リペア作業の作業情報を含む当該器具ＩＤで特定される器具の作業履歴を記憶する第３記憶部と、
前記セットＩＤに関連付けて、リペア作業の作業情報を含む当該セットＩＤで特定される手術セットの作業履歴を記憶する第４記憶部と
を備えた、手術セットおよび器具の管理システム。
【請求項２】
前記器具の作業履歴に基づいて、リペア中の器具を抽出するように構成された第１処理部を備えた、請求項１に記載された手術セットおよび器具の管理システム。
【請求項３】
前記手術セットの作業履歴に基づいて、リペア中の手術セットを抽出するように構成された第２処理部を備えた、請求項１または２に記載された手術セットおよび器具の管理システム。
【請求項４】
前記器具や手術セットのリペア率を算出するように構成された第３処理部をさらに備えた、請求項１から３までの何れか一項に記載された手術セットおよび器具の管理システム。
【請求項５】
前記第３処理部は、
前記リペア率に基づいて器具や手術セットを抽出するようにさらに構成された、請求項４に記載された手術セットおよび器具の管理システム。
【請求項６】
前記第３処理部は、
前記リペア率に基づいて器具や手術セットを比較するようにさらに構成された、請求項４または５に記載された手術セットおよび器具の管理システム。
【請求項７】
前記第１記憶部には、所属に関する情報が前記器具ＩＤに関連付けて記憶されており、
前記第２記憶部には、所属に関する情報が前記セットＩＤに関連付けて記憶されており、
器具、手術セットまたは所属毎に器具または手術セットを抽出するように構成された第４処理部をさらに備えた、
請求項１から６までの何れか一項に記載された手術セットおよび器具の管理システム。
【請求項８】
前記第４処理部は、所属毎に、器具または手術セットのリペア率を算出するように構成された、請求項７に記載された手術セットおよび器具の管理システム。
【請求項９】
前記第４処理部は、
前記リペア率に基づいて器具や手術セットの所属を抽出するようにさらに構成された、請求項８に記載された手術セットおよび器具の管理システム。
【請求項１０】
前記第４処理部は、
前記リペア率に基づいて前記所属を比較するようにさらに構成された、請求項８または９に記載された手術セットおよび器具の管理システム。
【請求項１１】
前記リペア率を算出するための期間Ｚ１を設定するための第５処理部をさらに備え、
前記リペア率は、期間Ｚ１における前記器具や手術セットがリペアに要した期間の割合で算出される、請求項４から１０までの何れか一項に記載された手術セットおよび器具の管理システム。
【請求項１２】
前記リペア作業の作業情報には、リペア作業が必要となった要因に関する情報が含まれている、１から１１までの何れか一項に記載された手術セットおよび器具の管理システム。
【請求項１３】
前記リペア作業が必要となった要因毎に、前記器具や手術セットを抽出するように構成された第６処理部をさらに備えた、請求項１２に記載された手術セットおよび器具の管理システム。
【請求項１４】
器具や手術セットがリペアに要した期間を、前記リペア作業が必要となった要因毎に仕分けするように構成された第７処理部をさらに備えた、請求項１２または１３に記載された手術セットおよび器具の管理システム。
【請求項１５】
前記リペア作業の作業情報には、リペア作業に要するコストに関する情報が含まれており、
前記リペア作業の作業情報に基づいて、器具や手術セットのリペア作業に要したコストを算出するように構成された第８処理部をさらに備えた、
請求項１から１４までの何れか一項に記載された手術セットおよび器具の管理システム。
【請求項１６】
前記第８処理部は、
予め定められた期間Ｚ２において、前記リペア作業に要したコストを算出するように構成された、請求項１５に記載された手術セットおよび器具の管理システム。
【請求項１７】
前記第８処理部は、
算出されたコストに基づいて前記器具や手術セットを比較するように構成された、請求項１５または１６に記載された手術セットおよび器具の管理システム。
【請求項１８】
予め定められた作業スペースにそれぞれ配置された複数のリーダーと、
をさらに備え、
前記器具は、個体情報を有し、
前記第１記憶部には、
前記器具の個体情報と器具ＩＤとが関連付けて記憶されており、
前記第２記憶部には、
前記器具の個体情報と器具ＩＤとセットＩＤとが関連付けて記憶されており、
前記リーダーによって前記個体情報が検知された際に器具ＩＤが特定されると、当該特定された器具ＩＤに関連付けて器具に施された作業の情報が前記器具の作業履歴に加えられ、かつ、前記リーダーによって前記個体情報が検知された際にセットＩＤが特定されると、当該特定されたセットＩＤに関連付けて手術セットに施された作業の情報が前記手術セットの作業履歴に加えられるように構成された第１０処理部と
を備えた、
請求項１から１７までの何れか一項に記載された、手術セットおよび器具の管理システム。
【発明の詳細な説明】
【技術分野】
【０００１】
本発明は、手術セットおよび器具の管理システムに関する。
【背景技術】
【０００２】
特開２００３−１６１９８号公報には、診察、手術、検査などで使用される小物に個々に識別コードを設け、当該識別コードを読み取る装置を備えた装置が提案されている。管理装置のデータベースには、予め患者に関するデータ、その患者を担当する医師のデータ、鋼製小物の在庫データ等が医療データとして記憶されている。そして、患者に対して手術または治療等の医療行為がなされた後、管理装置のデータベース上に記憶された医療データと読み取ったデータとが比較される。
【０００３】
特開２００９−７２３３８号公報には、１回の使用ごとに洗浄し、繰り返し使用する医療機器の管理システムが開示されている。ここでは、内視鏡の状態に応じて表示部の色を変えることが開示されている。
【０００４】
特開２０１２−２１５９９０号公報には、医療器材のピッキング作業を支援するための装置が提案されている。具体的には、医療器材の識別子および医療器材の画像を格納した記憶部と、相互に類似する医療器材の識別子を互いに関連付けて格納する記憶部とを備えている。同公報で提示される装置は、ユーザーによって指定された医療器材の画像と、その医療器材と類似する医療器材の画像とが並べて表示されるように構成されている。
【０００５】
特開２０１３−１１６２３４号公報には、医療器具の所在を管理する装置が開示されている。ここで開示されている装置では、機器情報取得部は、医療施設内の複数箇所に設置されたタグ読取装置から、医療機器に付された識別タグの読取情報を含む機器情報を取得する。ステータス保持部は、取得された機器情報により特定される医療機器の所在を含む医療機器のステータスを保持する。表示制御部は、ステータス保持部に保持される医療機器のステータスを表示装置に表示させる。表示制御部は、医療機器の内、医療行為に使用中の医療機器を非表示にする。
【０００６】
特開２０１５−１９７７３５号公報には、一般医療スタッフの参考となるガイダンス情報を配信することができる装置が提案されている。ここで提案される装置は、熟練医療スタッフによる医療行為の内容を表す医療作業情報をガイダンス情報としている。そして、一般医療スタッフからの要求に応じて、ガイダンス情報を配信している。
【０００７】
実用新案登録第３１９９６１４号公報には、手術器具管理システムが開示されている。ここで開示されたシステムは、手術器具に関する外観写真を記録する。バーコード情報を用いて、手術前に準備された手術器具の資産番号一覧を作成する。次に、手術後に回収された手術器具の識別図柄を読み取る。また、手術器具の外観写真を表示させると共に、手術後に回収された手術器具に関する資産番号が、手術前に準備された手術器具に関する資産番号と一致するか否かを判断する。
【先行技術文献】
【特許文献】
【０００８】
【特許文献１】特開２００３−１６１９８号公報
【特許文献２】特開２００９−７２３３８号公報
【特許文献３】特開２０１２−２１５９９０号公報
【特許文献４】特開２０１３−１１６２３４号公報
【特許文献５】特開２０１５−１９７７３５号公報
【特許文献６】実用新案登録第３１９９６１４号公報
【発明の概要】
【発明が解決しようとする課題】
【０００９】
ところで、手術器具は、手術後、回収、洗浄、組立、封止、滅菌、保管の順で概ね管理されており、滅菌後に保管されている器具が再び手術で用いられている。病院などでは、多くの種類の器具や手術セットを、それぞれ複数保有し、保管されている器具や手術セットを取り出して使用している。さらに、器具や手術セットは、使用によって刃こぼれや、鉗子などの挟み合わせやかみ合わせや可動部の引っ掛かりなどが生じる。このような場合には、外部業者に修理に出される。このように、同種類の器具や手術セットが多数あるような場合に、さらに、外部業者に作業が委託されるような場合もあり、管理が極めて煩雑である。
【課題を解決するための手段】
【００１０】
ここで提案される手術セットおよび器具の管理システムは、第１記憶部と、第２記憶部と、第３記憶部と、第４記憶部とを備えている。第１記憶部は、器具に一対一で関連付けられた器具ＩＤを記憶している。第２記憶部は、複数の器具で構成された手術セットに一対一で関連付けられたセットＩＤを記憶している。第３記憶部は、器具ＩＤに関連付けて、リペア作業の作業情報を含む当該器具ＩＤで特定される器具の作業履歴を記憶するように構成されている。第４記憶部は、セットＩＤに関連付けて、リペア作業の作業情報を含む当該セットＩＤで特定される手術セットの作業履歴を記憶するように構成されている。
【発明の効果】
【００１１】
かかる手術セットおよび器具の管理システムによれば、リペア作業を含めて器具や手術セットを管理できる。
【図面の簡単な説明】
【００１２】
【図１】図１は、手術セットおよび器具の管理システム１０の概略図である。
【図２】図２は、システム１０の適用例を示す概略図である。
【図３】図３は、第１記憶部１０１と第２記憶部１０２を１つに纏めたデータベース４００の構成例を示す図である。
【図４】図４は、回収エリアＡ２での作業情報を記録したテーブル４２０を示す図である。
【図５】図５は、滅菌エリアＡ５での作業情報を記録したテーブル４４０を示す図である。
【図６】図６は、リペアエリアＡ７での作業情報を記録したテーブル４６０を示す図である。
【図７】図７は、器具の作業履歴を抽出したデータのテーブル例を示す図である。
【発明を実施するための形態】
【００１３】
以下、図面を参照しながら、本発明の一実施形態に係る手術セットおよび器具の管理システムを説明する。なお、ここで説明される実施形態は、当然ながら本発明を限定することを意図したものではない。
【００１４】
ここで、手術セットは、一回の手術あるいは手術の一工程で使われる複数の医療器具からなる１つの纏まりである。ここで、医療器具は、適宜に、器具と称される。
手術セットの器具には、例えば、トラカール、鉗子、切開装置、洗浄吸引装置、剪刃（クーパー）、メス、メスホルダー、カニューレ、鑷子、開創器、スケール、ゾンデ、エレバ、ラスパ、吸引管、開胸器、閉胸器、持針器、注射器、金属ボール、膿盆、コップ、ピン、ミラー、やすり、開口器、クレンメ、ハンドピース、ノミ、鋭匙、剥離子、鏡、縫合針、スタンツェ、受水器、針、圧子、ブジー、通気管、骨片打込器、リウエル、ラジオペンチ、ハンマー、角度計、スポイト、浣腸器、シリンジなどがある。
【００１５】
医療器具には、複数の構成部品で構成された器具がある。例えば、腹腔鏡外科手術で用いられるトラカール、鉗子、切開装置、洗浄吸引装置などは、複数の構成部品からなり、手術後に回収され、複数の構成部品に分解される。ここでは、医療器具を構成する部品を構成部品という。また、構成部品がさらに複数の構成部品からなる場合があるが、このような場合は全て構成部品と称する。
【００１６】
このような医療器具および医療器具の構成部品は、それぞれ洗浄作業が決められている。このため、医療器具および器具の構成部品は、手術後に回収されてそれぞれ指定された洗浄作業毎に振分けられて、それぞれ洗浄工程に回送される。洗浄後、複数の構成部品からなる器具は組立てられ、また、手術セット毎、あるいは、医療器具毎に分けられて所定の容器に入れられて封止される。その後、指定された滅菌方法で滅菌されて、次に使用されるまで保管される。このように、手術セットの使用では、手術→回収（振分け）→洗浄→組立（封止）→滅菌→保管→手術という工程が繰り繰り返される。手術セットや手術器具は、手術後、回収、洗浄、組立、封止、滅菌、保管の工程を経る。このため、多くの病院では、多くの種類の手術セットや手術器具を、それぞれ複数保有し、保管されている手術セットや手術器具を取り出して使用している。
【００１７】
ところで、手術セットおよび手術器具は、刃こぼれなどで切れ味が悪くなったり、鉗子のかみ合わせが悪くなったりした場合に、修理に出される場合がある。あるいは、定期的な点検に出され、必要な処置が施される。修理や点検は、病院外の専門の業者によって行われる。専門の業者に出された器具や手術セットは、手術、回収、洗浄、組立、封止、滅菌、保管の工程から外れる。修理や点検作業を含めて器具や手術セットの情報として管理することはされていない。
ここで提案される手術セットおよび器具の管理システムは、例えば、修理や点検について、外部の専門の業者に出された器具や手術セットを含めて手術セットおよび器具を適切にかつ効率良く管理するのに用いられうる。
【００１８】
図１は、手術セットおよび器具の管理システム１０（本明細書において、適宜に「システム１０」と称される。）の概略図である。図１に示された形態では、システム１０は、ハードウェア構成として、リーダー１１と、表示装置１２と、操作端末１３と、処理装置１００とを備えている。なお、システム１０のハードウェア構成は、図１の形態に限定されない。システム１０の各種処理は、例えば、操作端末１３と処理装置１００において、ソフトウェアとハードウェアとの協働として具現化される。
【００１９】
ここで提案されるシステム１０は、図１に示されているように、第１記憶部１０１〜第４記憶部１０４と、第１処理部２０１〜第１０処理部２１０とを備えている。なお、システム１０は、ここで説明される第１記憶部１０１〜第４記憶部１０４および第１処理部２０１〜第１０処理部２１０に限らず、所要の記憶部と処理部を適宜に備えているとよい。
【００２０】
このうち、第１記憶部１０１は、器具にそれぞれ一対一で関連付けられた器具ＩＤを記憶している。
第２記憶部１０２は、複数の器具で構成された手術セットに一対一で関連付けられたセットＩＤを記憶している。
第３記憶部１０３は、器具ＩＤに関連付けて、リペア作業の作業情報を含む当該器具ＩＤで特定される器具の作業履歴を記憶するように構成されている。
第４記憶部１０４は、セットＩＤに関連付けて、リペア作業の作業情報を含む当該セットＩＤで特定される手術セットの作業履歴を記憶するように構成されている。
かかるシステム１０によれば、器具や手術セットのリペア作業の作業情報が得られる。
【００２１】
このシステム１０では、例えば、手術→回収（振分け）→洗浄→組立（封止）→滅菌→保管→手術のサイクルにおける各工程において、器具ＩＤで特定される器具の作業履歴およびセットＩＤで特定される手術セットの作業履歴が適宜に記録される。さらに、器具や手術セットの作業履歴に、リペア作業の作業情報が適宜に含められるように構成されている。以下、システム１０の適用例を例示する。
【００２２】
〈エリアＡ１〜Ａ７〉
図２は、システム１０の適用例を示す概略図である。図２に示された形態では、手術エリアＡ１、回収エリアＡ２、洗浄エリアＡ３、組立エリアＡ４、滅菌エリアＡ５および保管エリアＡ６、リペアエリアＡ７の各エリアＡ１〜Ａ７に区分けされている。
システム１０では、各エリアＡ１〜Ａ７に関連付けられて「エリアＩＤ」とも称されうる識別ＩＤが割り当てられる。各エリアＡ１〜Ａ７とエリアＩＤとは、関連付けられてマスターデータに記憶されているとよい。
【００２３】
手術エリアＡ１は、医師や看護師によって器具や手術セットが使用されるエリアであり、手術や診察が行われるエリアである。
回収エリアＡ２は、手術エリアＡ１から手術セットおよび手術器具が回収されるエリアである。ここでは、手術セットは、手術器具毎にばらばらに回収されうる。
洗浄エリアＡ３は、手術セットおよび手術器具を洗浄するエリアである。ここでは、手術器具は、部品毎に分解されて洗浄されうる。
組立エリアＡ４は、洗浄された手術セットおよび手術器具を組立て、所定の容器や袋に梱包するエリアである。
滅菌エリアＡ５は、手術セットおよび手術器具を滅菌するエリアである。手術セットおよび手術器具は、所定の容器や袋に梱包された状態で滅菌される。
保管エリアＡ６は、滅菌された手術セットおよび手術器具を保管するエリアである。
リペアエリアＡ７は、器具や手術セットが修理されたり、点検されたりするエリアである。
【００２４】
ここで、リペアエリアＡ７で実施される作業は、修理に限定されず、点検などのメンテナンス作業も含まれうる。このように、器具や手術セットが修理や点検に出された場合には、システム１０では、修理や点検を区別せずにリペアエリアという概念により、手術セットおよび手術器具の状態が区分される。
【００２５】
なお、この実施形態では、手術エリアＡ１、回収エリアＡ２、洗浄エリアＡ３、組立エリアＡ４、滅菌エリアＡ５、保管エリアＡ６およびリペアエリアＡ７に区分されているが、かかる形態に限定されない。
各エリアＡ１〜Ａ７は、それぞれ所定の作業が行われる場所で規定されうるが、必ずしも所定の作業が行われる場所と一致しない。
【００２６】
例えば、洗浄や組立や滅菌やリペア（修理、点検）などの作業は、手術などとは異なる専門の業者が行う場合がある。このような場合、洗浄エリアＡ３や組立エリアＡ４や滅菌エリアＡ５やリペアエリアＡ７は、手術エリアＡ１や回収エリアＡ２や保管エリアＡ６などとは異なる施設に設けられうる。手術エリアＡ１や回収エリアＡ２や保管エリアＡ６についてもそれぞれ異なる場所に設けられうる。
このシステム１０では、複数の病院で使われる手術セットや器具を纏めて管理することが可能である。このような場合、各エリアＡ１〜Ａ７は、複数の病院においてそれぞれ設置されうる。このように、各エリアＡ１〜Ａ７は、１つの場所に限らない。
【００２７】
特に、リペア作業は、病院外の他の場所で行われる場合がある。例えば、器具や手術セットは、使用によって刃こぼれや、鉗子などの挟み合わせやかみ合わせや可動部の引っ掛かりなどが生じる。このような場合には、外部業者に修理が委託される。
図２に示された形態では、リペアエリアＡ７は、１つのエリアで設定されているが、リペアエリアＡ７が設定される場所は、１つの場所に限定されない。実際には、修理や点検などの作業の種類によって委託される業者が異なっている場合がありうる。
【００２８】
この実施形態では、図２に示されているように、各エリアＡ１〜Ａ７には、読取装置としてのリーダー１１ａ〜１１ｇや操作端末１３ａ〜１３ｇが配置されている。システム１０上は、各エリアＡ１〜Ａ７に配置されたリーダー１１ａ〜１１ｇや操作端末１３ａ〜１３ｇが、各エリアＡ１〜Ａ７に関連付けられているとよい。例えば、リーダー１１ａ〜１１ｇや操作端末１３ａ〜１３ｇで入力された情報が、各エリアＡ１〜Ａ７で入力された情報として、各エリアＡ１〜Ａ７に割り当てられたＩＤ記録されるようにシステム１０が構成されているとよい。
【００２９】
〈システム１０〉
システム１０は、図２に示されているように、処理装置１００および各エリアＡ１〜Ａ７に配置された操作端末１３ａ〜１３ｇおよびリーダー１１ａ〜１１ｇによって具現化されている。操作端末１３ａ〜１３ｇおよび処理装置１００は、表示装置１２ａ〜１２ｈをそれぞれ備えている。本明細書において、リーダー１１ａ〜１１ｇ、表示装置１２ａ〜１２ｈおよび操作端末１３ａ〜１３ｇを区別する必要がない場合には、単に「リーダー１１」、「表示装置１２」および「操作端末１３」と称する。
【００３０】
〈リーダー１１〉
各エリアＡ１〜Ａ７に配置されたリーダー１１ａ〜１１ｇは、手術セットの器具、器具の構成部品に組み込まれた個体情報、あるいは、器具や手術セットを収容する袋や容器に付された個体情報を読み取る装置である。
【００３１】
〈個体情報〉
ここで、個体情報は、所定の形態の二次元シンボルであり得る。例えば、手術セットの器具に用いられる個体情報としては、二次元バーコードや、ＲＦＩＤのような非接触タグや、器具表面に形成される刻印などで具現化されうる。また、刻印には、レーザー刻印や、打刻による形成ができる。
【００３２】
打刻による二次元シンボルの形成には、例えば、メタルプリンター（例えば、ローランドディー．ジー．株式会社製  ＭＰＸ−９５など）が用いられうる。このようなメタルプリンターによれば、例えば、１ｍｍ〜４ｍｍ角程度の微細な大きさでデータマトリックスを形成することが可能である。打刻による二次元シンボルは、器具表面を凹ますことによって形成されている。器具表面のメッキ被膜などに傷が付きにくく、二次元シンボルを付けたことによって器具が錆び難い。また、メタルプリンターなどの発達によって、二次元シンボルが形成されていない既存の器具にも適用でき、二次元シンボルをユーザーで設定して付与することができる。
【００３３】
また、組立エリアＡ４、滅菌エリアＡ５あるいは保管エリアＡ６では、例えば、器具は適宜に単品で個包装された状態であり、手術セットは纏めて袋や容器に収容された状態である。この場合、器具や手術セットを収容する袋や容器には、二次元シンボルなどの個体情報が付されているとよい。
【００３４】
リーダー１１ａ〜１１ｇは、二次元シンボルを検知するための検知部を備えているとよい。二次元シンボルを検知するための検知部には、例えば、カメラやＣＣＤイメージセンサなどが挙げられる。リーダー１１ａ〜１１ｇの検知部に、器具や構成部品に付された個体情報（例えば、打刻された二次元シンボル）を向けることで、当該器具や構成部品に割り当てられた個体情報が読み取られる。また、器具や手術セットが袋や容器に入れられている場合には、袋や容器に付された個体情報をリーダー１１ａ〜１１ｇに向けることで、当該個体情報が読み取られる。
【００３５】
〈操作端末１３,処理装置１００〉
図２では、操作端末１３ａ〜１３ｇや処理装置１００は、ラップトップ型の端末が図示されているが、端末の形態には限定されず、例えば、タブレット型端末や据え置き型の端末であってもよい。
【００３６】
操作端末１３ａ〜１３ｇは、処理装置１００と協働してこのシステム１０の各種処理を具現化するように構成されているとよい。この実施形態では、処理装置１００は、このシステム１０の各処理の基幹となるホストコンピュータとして機能しうる。操作端末１３ａ〜１３ｇは、処理装置１００と連携し、このシステム１０のクライアントコンピュータとして機能しうる。また、処理装置１００や操作端末１３ａ〜１３ｇは、通信ネットワーク１４を通じて、記憶装置に繋がっているとよい。そして、処理装置１００や操作端末１３ａ〜１３ｇの記憶装置には、適宜に情報が書き込まれ、かつ、情報が記憶装置から取り出されるように構成されているとよい。
【００３７】
操作端末１３ａ〜１３ｇおよび処理装置１００は、演算装置（プロセッサ、ＣＰＵ（Central Processing Unit）、ＭＰＵ（Micro-processing unit）とも称される）と、記憶装置（メモリーやハードディスクなど）とを備えている。操作端末１３ａ〜１３ｇおよび処理装置１００の各機能は、記憶装置に記憶されたソフトウェアとの協働によって処理によって具現化される。例えば、操作端末１３ａ〜１３ｇおよび処理装置１００の各構成および処理は、所定の演算処理を行う処理モジュールとして、若しくは、データとして、または、それらの一部として具現化されうる。処理モジュールは、具体的には、それぞれプログラムである。
【００３８】
図１では、処理装置１００や操作端末１３ａ〜１３ｇは、それぞれデータを記憶する記憶領域１２０と、処理モジュールを記憶する記憶領域１４０とを備えている。
データを記憶する記憶領域１２０には、上述した記憶部１０１〜１０５の他、各種のマスターデータや、リーダー１１ａ〜１１ｇや操作端末１３ａ〜１３ｇによって取得される各種データなどが記憶される。
処理モジュールを記憶する記憶領域１４０には、システム１０の処理モジュールが適宜に記憶されている。記憶領域１４０に記憶された処理モジュールは、上述した処理部２０１〜２１０に限らない。処理装置１００や操作端末１３ａ〜１３ｇは、例えば、記憶領域１４０に記憶された処理モジュールを適宜に呼び出して実行するように構成されているとよい。ここで、データを記憶する記憶領域１２０は、例えば、処理装置１００や操作端末１３ａ〜１３ｇとは別体のデータサーバーで構成されていてもよい。
【００３９】
操作端末１３ａ〜１３ｇおよび処理装置１００は、それぞれ単一の装置で具現化してもよいし、複数の装置が協働で処理装置としての機能を奏するものでもよい。つまり、図１では、処理装置１００は、１つの装置のように図示されているが、１つの装置であることに限定されない。
【００４０】
操作端末１３ａ〜１３ｇおよび処理装置１００は、ディスプレイとして機能する表示装置１２ａ〜１２ｈを備えている。表示装置１２ａ〜１２ｈは、操作端末１３ａ〜１３ｇおよび処理装置１００に組み込まれたプログラムに従って画像を表示するように構成されている。表示装置１２ａ〜１２ｈは、それぞれタッチパネルで構成されていてもよい。表示装置１２ａ〜１２ｈがタッチパネルで構成されている場合には、例えば、ユーザーが表示装置１２の画面に触れることで操作されるようにシステム１０が構成されているとよい。
【００４１】
リーダー１１ａ〜１１ｇと、操作端末１３ａ〜１３ｇと、処理装置１００とは、双方向においてデータ通信可能に接続されているとよい。図２に示された形態では、リーダー１１ａ〜１１ｇと、操作端末１３ａ〜１３ｇと、処理装置１００とは、通信ネットワーク１４を通じてデータ通信可能な状態で連携している。各操作端末１３ａ〜１３ｇ、リーダー１１ａ〜１１ｇ、および、処理装置１００は、例えば、ルーター（図示省略）を通じて構築される無線通信ネットワークやＬＡＮケーブルなどの有線通信ネットワークによって相互に情報通信が可能な状態で接続されているとよい。
【００４２】
〈表示装置１２〉
図２に示された操作端末１３ａ〜１３ｇのディスプレイ１２ａ〜１２ｇおよび処理装置１００のディスプレイ１２ｈは、それぞれ図１に示された表示装置１２として機能する。図２に示された形態では、操作端末１３ａ〜１３ｇと処理装置１００とは、協働してシステム１０の処理装置１００（図１参照）として機能する。図１および図２に示された形態では、システム１０は、複数の装置によって具現化されている。システム１０では、操作端末１３ａ〜１３ｇや処理装置１００などの複数台のパソコンが連携している。システム１０は、離れた複数の場所で異なる複数のユーザーによって同時に並行して利用される。そして、多くの手術セットや器具が複数の工程で並行して管理される。
【００４３】
〈リーダー１１等の配置〉
図２では、各エリアＡ１〜Ａ７に、リーダー１１、表示装置１２および操作端末１３がそれぞれ１つずつ配置されているが、リーダー１１、表示装置１２および操作端末１３の配置は、図２で示された形態に限定されない。
【００４４】
各エリアＡ１〜Ａ７は、実際上の場所が重複していてもよい。例えば、手術や診療が行われている場所と同じ場所で回収が行われる場合には、手術エリアＡ１と回収エリアＡ２の場所が重複していてもよい。この場合、リーダー１１や表示装置１２や操作端末１３が手術エリアＡ１と回収エリアＡ２とで共通していてもよい。また、操作端末１３の機能や設定が、例えば、ソフトウェア上の処理によって各エリアＡ１〜Ａ７に応じて切り替えられるように構成されているとよい。例えば、操作端末１３は、手術エリアＡ１に応じた機能および設定と、回収エリアＡ２に応じた機能および設定とに、予め定められた操作で適宜に切り替えられるように構成されているとよい。
【００４５】
システム１０は、さらに多くのリーダー１１と表示装置１２と操作端末１３を備えていてもよい。反対に、全てのエリアＡ１〜Ａ７にリーダー１１と表示装置１２と操作端末１３がそれぞれ配置されていなくてもよい。また、各エリアＡ１〜Ａ７では異なるエリアにおいて、リーダー１１、表示装置１２および操作端末１３が共有されていてもよい。
【００４６】
例えば、小規模の病院では、手術→回収（振分け）→洗浄→組立（封止）→滅菌→保管が限られたスペースで行われている。このような場合は、各エリアＡ１〜Ａ６のリーダー１１ａ〜１１ｇや操作端末１３ａ〜１３ｆおよび処理装置１００の各種機能が、１つのリーダーと１つの操作端末に集約されてもよい。このように、システム１０は、スタンドアローン型の装置として構成されうる。また手術室がいくつもある大規模病院などでは、システム１０は、処理装置１００を各エリアの操作端末１３を双方向に通信可能な状態で接続するとよい。この場合、システム１０は、処理装置１００をホストサーバーとし、各エリアの操作端末１３をクライアントとするクライアントサーバー型のシステムとして構築されてもよい。また、システム１０は、離れた複数の病院や施設において運用されるクラウド型システムとしても構築されうる。この場合、システム１０は、例えば、処理装置１００をデータセンターとし、処理装置１００に各種データを集約し、ｗｅｂブラウザなどを通じて離れた複数の病院や施設に配置された操作端末１３によって、システム１０の各種機能が利用可能なシステムとして構築されてもよい。
【００４７】
また、図２に示された形態では、手術エリアＡ１にリーダー１１ａや操作端末１３ａが配置されている。システム１０において、手術エリアＡ１にリーダー１１ａや操作端末１３ａが配置されていなくてもよい。例えば、保管エリアＡ６と回収エリアＡ２に、リーダー１１ｂ、１１ｆや操作端末１３ｂ〜１３ｆがあれば、手術エリアＡ１にはリーダー１１ａや操作端末１３ａは無くてもよい。この場合、手術エリアＡ１の作業情報は、保管エリアＡ６と回収エリアＡ２とで入力されるように構成されているとよい。
【００４８】
また、洗浄作業や組立作業や滅菌作業やリペア作業などは、病院外の専門の業者によって作業される場合がある。このような外部業者は、システム１０に関与しない場合もありうる。このため、洗浄エリアＡ３や組立エリアＡ４や滅菌エリアＡ５やリペアエリアＡ７などには、リーダー１１や表示装置１２や操作端末１３は、配置されていない場合がありうる。このうち、洗浄エリアＡ３や組立エリアＡ４や滅菌エリアＡ５は、手術→回収（振分け）→洗浄→組立（封止）→滅菌→保管という通常使用のサイクルである。このため、定常的に実施される作業であり、作業内容や費用が予見しうる。
しかし、器具や手術セットの修理のようなリペア作業は、手術→回収（振分け）→洗浄→組立（封止）→滅菌→保管という通常使用のサイクルから外れ、不定期あるいは突発的に発生しうる。このため、リペア作業の作業内容や費用は、予見されにくい。
【００４９】
リペア作業には、例えば、回収エリアＡ２や組立エリアＡ４などから手術セットや器具が修理や点検に出される。
リペアエリアＡ７は、外部の専門業者に設定され、リペアエリアＡ７にリーダー１１や操作端末１３が配置され得ない場合もありうる。このため、図２の形態に限定されず、リペアエリアＡ７には、リーダー１１ｇや操作端末１３ｇが無くてもよい。
例えば、リペアエリアＡ７では、他のエリアからリペアエリアＡ７に器具や手術セットが送られる。そして、リペアエリアＡ７での作業が終了すると、リペアエリアＡ７から他のエリアに器具や手術セットが戻される。このため、他のエリアに、リーダー１１や操作端末１３があれば、リペアエリアＡ７に手術セットや器具が送られたことや、リペアエリアＡ７から器具や手術セットが返ってきたことが管理されうる。リペアエリアＡ７での作業内容についての情報は、例えば、器具や手術セットを送るエリアや器具や手術セットが戻されたエリアで入力されうる。作業情報の入力に関し、洗浄エリアＡ３や組立エリアＡ４や滅菌エリアＡ５の作業が外部の業者に委託される場合も同様である。つまり、洗浄エリアＡ３や組立エリアＡ４や滅菌エリアＡ５から戻されたエリアにおいて、作業情報が入力されるように構成されてもよい。
【００５０】
〈システム１０の構成〉
このシステム１０は、例えば、図１に示されているように、第１記憶部１０１〜第４記憶部１０４と、第１処理部２０１〜第１０処理部２１０とを備えている。
【００５１】
このシステム１０において、各処理部の処理は、処理装置１００および操作端末１３ａ〜１３ｇのうち何れの装置によって処理されてもよい。また、各記憶部によって記憶された情報は、例えば、ホストコンピュータとしての処理装置１００によって管理され、各操作端末１３ａ〜１３ｇに共有されるように構成されているとよい。
【００５２】
〈第１記憶部１０１〉
第１記憶部１０１は、器具に一対一で関連付けられた器具ＩＤを記憶している。つまり、このシステム１０では、手術セットの器具には器具ＩＤが付与されている。器具ＩＤは、一対一で特定の器具に対応している。この実施形態では、器具には、上述のようにリーダー１１ａ〜１１ｇで読み取り可能な個体情報が付されている。第１記憶部１０１には、器具に付された個体情報と、器具ＩＤとが関連付けられて記憶されているとよい。このシステム１０は、リーダー１１ａ〜１１ｇで個体情報が読み取られた際に器具に一対一で関連付けられた器具ＩＤが特定されるように構成されているとよい。
【００５３】
また、器具はさらに複数の構成部品で構成されている場合がある。このシステム１０では、器具を構成する構成部品にも部品ＩＤが付与されている。部品ＩＤは、一対一で特定の器具および器具の構成部品に対応している。このシステム１０では、手術セットの器具および器具の構成部品は、それぞれ部品ＩＤでも特定されうる。この場合、部品にも個体情報が付されているとよく、リーダー１１ａ〜１１ｇで個体情報が読み取られた際に部品に一対一で関連付けられた部品ＩＤおよび器具ＩＤが特定されるように構成されているとよい。このように、器具や部品に付された個体情報をリーダー１１で読み取ることによって、器具や部品が特定される。これにより、同じ器具や部品でも、個体を間違えることなく作業情報を入力することができる。
【００５４】
〈第２記憶部１０２〉
第２記憶部１０２は、複数の器具で構成された手術セットに一対一で関連付けられたセットＩＤを記憶している。つまり、このシステム１０では、手術セットに一対一で関連付けられたセットＩＤが付与されており、セットＩＤによって手術セットが特定される。
【００５５】
なお、この実施形態では、手術セットに一対一で関連付けられたセットＩＤと、当該手術セットに属する器具の器具ＩＤと、当該手術セットに属する構成部品の部品ＩＤとをさらに関連付けて記憶している。つまり、セットＩＤが特定されると、当該セットＩＤで特定される手術セットに属する器具の器具ＩＤおよび構成部品の部品ＩＤが特定される。また、器具ＩＤが特定されると、当該器具が属する手術セットのセットＩＤが特定される。
【００５６】
また、器具が構成部品を備えている場合には、器具ＩＤから当該器具に属する構成部品の部品ＩＤが特定される。また、構成部品の部品ＩＤが特定されると、当該構成部品が属する器具の器具ＩＤが特定される。さらに当該器具が手術セットに属している場合には、構成部品の部品ＩＤが特定されると、当該部品ＩＤに関連付けられた手術セットのセットＩＤが特定される。例えば、第２記憶部１０２には、器具に付された個体情報と、器具ＩＤと、セットＩＤとが関連付けられて記憶されているとよい。このシステム１０は、リーダー１１ａ〜１１ｇで個体情報が読み取られた際に、器具ＩＤおよびセットＩＤが特定されるように構成されているとよい。さらに、システム１０は、部品に付された個体情報がリーダー１１ａ〜１１ｇによって読み取られた際に、セットＩＤが特定されるように構成されているとよい。
【００５７】
上述した第１記憶部１０１と第２記憶部１０２は、それぞれ独立したデータベースで構成されてもよい。また、第１記憶部１０１と第２記憶部１０２は、１つのデータベースで構成されてもよい。図３は、第１記憶部１０１と第２記憶部１０２を１つに纏めたデータベース４００の構成例を示す図である。図３では、セットＩＤを記憶する欄４０１，手術セット名を記憶する欄４０２，器具ＩＤを記憶する欄４０３，器具名を記憶する欄４０４，部品ＩＤを記憶する欄４０５，個体情報としてのＧＳ１コードを記憶する欄４０６，手術セットや器具や部品の画像ファイルを記憶する欄４０７、所属に関する情報を記憶する欄４０８，４０９が設けられており、それぞれが関連付けられて記憶されている。画像ファイルには、手術セット、器具または構成部品の画像が納められている。システム１０は、表示装置１２（図１参照）を通じて適宜に画像が表示されるように構成されうる。
【００５８】
図３に示されている形態のように、第１記憶部１０１は、器具ＩＤが付与された器具のうち手術セットを構成する器具には、器具ＩＤに関連付けてセットＩＤが記憶されているとよい。これにより、手術セットを構成する器具では、器具ＩＤが特定されると、手術セットのセットＩＤが特定される。
【００５９】
また、所属に関する情報が器具ＩＤやセットＩＤに関連付けて記憶されている。ここで所属に関する情報は、例えば、病院であれば、外科や内科などの診療科を区別するための情報で規定されうる。また、複数の病院の器具や手術セットを合わせて管理するような場合には、所属に関する情報には、病院を区別するための情報が含まれる。このように、所属に関する情報は、いくつかの階層で複数の情報が含まれていてもよい。例えば、この実施形態では、所属１には、病院、所属２には、診療科の情報が含まれている。所属に関する情報は、これに限らず、例えば、器具や手術セットのメーカーや型式など、病院や診療科などとは異なる観点の情報が含まれていてもよい。このように、所属に関する情報は、器具や手術セットを分類するための情報であり得る。
【００６０】
図３に示されているように、このシステム１０では、セットＩＤ、器具ＩＤ、部品ＩＤ、および、これらに関連付けられた個体情報や画像データや所属に関する情報などは、マスターデータとして予め記憶されているとよい。マスターデータとして記憶される情報は、図３に列挙される項目に限定されない。
例えば、作業者を特定するためのユーザーＩＤなどについても、システム１０においてマスターデータとして予め記憶されているとよい。ユーザーＩＤは、作業者に配布されたネームタグなどに取付けられた二次元コードや、作業者個人の生体認証などを通じて特定されるように構成されているとよい。例えば、ユーザーＩＤは、リーダー１１ｂで読み取り可能な情報で特定されるように構成されているとよい。また、リーダー１１ａ〜１１ｇや操作端末１３ａ〜１３ｇや処理装置１００にも、個体情報が割り当てられており、システム１０においてマスターデータとして予め記憶されているとよい。
また、洗浄方法や、滅菌や保管に用いられる梱包材や、滅菌方法なども、適宜に、システム１０においてマスターデータとして予め記憶されているとよい。
【００６１】
〈第３記憶部１０３、第４記憶部１０４〉
第３記憶部は、器具ＩＤに関連付けて、リペア作業の作業情報を含む当該器具ＩＤで特定される器具の作業履歴を記憶する。
第４記憶部は、セットＩＤに関連付けて、リペア作業の作業情報を含む当該セットＩＤで特定される手術セットの作業履歴を記憶する。
【００６２】
ここで、作業情報は、各作業の情報であり、例えば、作業日時や作業内容や作業者やコストなどの情報が含まれうる。作業情報は、作業毎に記録する項目やフォーマットが定められているとよい。項目やフォーマットが定められていることによって、各作業エリアで入力された作業情報は、適宜に統合されうる。
作業履歴は、作業情報が集計されたデータ群であり、例えば、作業情報が作業日時に基づいて時系列に集計されたデータでありうる。
【００６３】
この実施形態では、予め定められた作業スペースとしての各エリアＡ１〜Ａ６にそれぞれリーダー１１ａ〜１１ｇが配置されている。また、器具は、個体情報を有している。第１記憶部１０１には、器具の個体情報と器具ＩＤとセットＩＤとが関連付けて記憶されている。器具や手術セットの作業情報は、リーダー１１ａ〜１１ｇによって個体情報が読み込まれ、器具や手術セットが特定された上で入力されるとよい。
【００６４】
〈第１０処理部２１０〉
この実施形態では、第１０処理部２１０は、リーダー１１ａ〜１１ｇによって個体情報が検知された際に器具ＩＤが特定されると、当該特定された器具ＩＤに関連付けて器具に施された作業の情報が器具の作業履歴に加えられるように構成されている。また、第１０処理部２１０は、リーダー１１ａ〜１１ｇによって個体情報が検知された際にセットＩＤが特定されると、当該特定されたセットＩＤに関連付けて手術セットに施された作業の情報が手術セットの作業履歴に加えられるように構成されている。このシステム１０では、リーダー１１ａ〜１１ｇによって個体情報が検知された際に、個体情報によって器具ＩＤとセットＩＤとを特定される。このため、同じ器具や手術セットでも個体を特定して作業情報を入力することができる。
【００６５】
図２に示されているように、システム１０では、各エリアＡ１〜Ａ７にリーダー１１ａ〜１１ｇが配置されている。そして、リーダー１１ａ〜１１ｇによって、個体情報が検知された際に、個体情報によって器具ＩＤが特定される。このため、各エリアＡ１〜Ａ７において、リーダー１１ａ〜１１ｇによって器具ＩＤが特定された器具に実施された作業の作業情報が器具の作業履歴に加えられる。また、個体情報によってセットＩＤが特定された際には、各エリアＡ１〜Ａ７で手術セットに施された作業の情報が手術セットの作業履歴に加えられる。このように、リーダー１１ａ〜１１ｇを介して器具や手術セットが特定されるので、器具や手術セットの作業履歴の入力がより確実に行われる。また、器具や手術セットの作業履歴は、例えば、作業の情報に加えてリーダー１１ａ〜１１ｇによって個体情報が検知された時刻が記録されるとよい。これによって、作業履歴の時刻が正確に記録される。また、作業者や作業に用いられた器材や材料などの情報が適宜に加えられてもよい。
【００６６】
なお、ここでは、個体情報が検知された際に、個体情報によって器具ＩＤが特定され、各エリアＡ１〜Ａ７で器具に施された作業の情報が器具の作業履歴に加えられることを例示している。しかしながら、特段、言及されない場合において、器具ＩＤに関連付けて、器具ＩＤで特定される器具の作業履歴を記憶する具体的な手段や、セットＩＤに関連付けて、セットＩＤで特定される手術セットの作業履歴を記憶する具体的な手段はかかる形態に限定されない。例えば、各エリアＡ１〜Ａ７では、操作端末１３ａ〜１３ｇによって作業者が作業情報または作業情報の一部を手入力するように構成されていてもよい。
【００６７】
〈手術エリアＡ１の作業情報〉
手術エリアＡ１では、例えば、保管されている器具や手術セットが手術エリアＡ１に搬入された際に、リーダー１１ａによって、個体情報が検知され、器具ＩＤやセットＩＤが特定される。そして、器具ＩＤやセットＩＤに関連付けて、搬入された日時や使用された際の情報が記録される。また、手術エリアＡ１で記憶される作業情報には、例えば、医師などの使用者（作業者）や患者や患者のカルテ番号や手術や診療番号などが含まれていてもよい。これにより、器具や手術セットがどのような手術に使われたかの作業履歴がシステム１０において記憶される。器具や手術セットの作業履歴で追跡可能な情報量が多くなる。また、既存の電子カルテの情報が、手術エリアＡ１での作業情報としてこのシステム１０に取り込まれてもよい。また、手術で使用された器具や手術セットの器具ＩＤやセットＩＤが既存の電子カルテに書き込まれてもよい。このように既存の電子カルテと、このシステム１０とが連携するようにシステムが相互に構築されてもよい。
【００６８】
〈回収エリアＡ２の作業情報〉
回収エリアＡ２には、例えば、手術エリアＡ１で使用された器具や手術セットが持ち込まれる。回収エリアＡ２では、例えば、リーダー１１ｂによって、個体情報が検知され、器具ＩＤやセットＩＤが特定される。回収エリアＡ２で記憶される作業情報には、例えば、回収された日時やユーザーＩＤなどの情報が含まれうる。
【００６９】
回収エリアＡ２では、例えば、手術セットに含まれる器具の一覧が表示装置１２ｂに表示されるとよい。そして、リーダー１１ｂによって、手術セットに含まれる器具の個体情報が検知しつつ器具が回収されるとよい。そして、手術セットに含まれる器具の個体情報が検知されて器具が表示装置１２ｂにおいて特定されるように構成されているとよい。さらに、回収作業において作業者が表示装置１２ｂに表示された器具を指定すると、例えば、当該手術セットに含まれる器具の一覧から当該個体情報が検知された器具の表示が暗くなるように構成されているとよい。この場合、表示装置１２ｂは、例えば、タッチパネルで構成されているとよい。作業者は表示装置１２ｂの画面において、表示された器具の一覧から回収する器具（換言すると、個体情報で特定された器具）に触れると当該器具の表示が変更されるように構成されているとよい。このような処理によって、当該器具が回収されたことが作業者において容易に視認できるようになっているとよい。そして、手術エリアＡ１で使用された手術セットに含まれる全ての器具が回収エリアＡ２において回収されることによって、当該手術セットの回収が終了する。この際、表示装置１２ｂにおいて、当該手術セットの表示が暗く表示されたり、回収終了を意味するアイコンが表示されたりするなどして、当該器具が回収されたことが作業者において容易に視認できるようになっているとよい。
【００７０】
〈洗浄エリアＡ３の作業情報〉
洗浄エリアＡ３では、例えば、リーダー１１ｃによって、手術セットに含まれる器具の個体情報が検知されると、器具ＩＤが特定される。かかる特定された器具ＩＤに関連付けて、洗浄エリアＡ３での作業情報が記憶されるとよい。洗浄エリアＡ３での作業情報には、例えば、洗浄に用いられた洗浄機や洗剤など洗浄方法の情報やユーザーＩＤが含まれうる。
【００７１】
また、このシステム１０において器具ＩＤと洗浄方法とが予め関連付けて記憶されているとよい。この場合、リーダー１１ｃによって、手術セットに含まれる器具の個体情報が検知されると、洗浄エリアＡ３の表示装置１２ｃにおいて、当該特定された器具ＩＤに基づいて、当該器具に必要な洗浄処理が画面上表示されるように構成されていてもよい。リーダー１１ｃによって器具ＩＤが特定されるので、器具を取り違えて洗浄処理が行われたり、器具を取り違えて作業情報が入力されたりすることが生じにくい。リーダー１１ｃは、例えば、洗浄機に設けられていてもよい。この場合、器具の個体情報を読み取りつつ、洗浄機に器具を投入するようにしてもよい。また、洗浄機に設定された洗浄条件などの情報が、作業情報として記録されるとよい。ここで、洗浄方法には、用手洗浄、単層式自動洗浄、多層式自動洗浄、超音波洗浄、薬品洗浄などが挙げられ、それぞれ所定の洗浄機や洗剤が所定の方法で用いられるとよい。
【００７２】
また、手術エリアＡ１での作業情報として既存の電子カルテの情報が取り込まれてもよい。この場合、患者や手術の情報に関連付けて器具の洗浄方法や滅菌方法が予めマスターデータに記憶されているとよい。これにより、手術エリアＡ１での作業情報に含まれる患者や手術の情報と、マスターデータに基づいて、適宜に、器具に必要な洗浄方法が特定されるように構築されていてもよい。これにより、電子カルテの情報に基づいて器具や手術セットに特別な洗浄が必要になる場合には、その洗浄方法が特定されるようにシステム１０が構築されるとよい。同様に、滅菌エリアＡ５では、電子カルテの情報に基づいて器具や手術セットに特別な滅菌が必要になる場合には、その滅菌方法が特定されるようにシステム１０が構築されているとよい。
【００７３】
〈組立エリアＡ４の作業情報〉
組立エリアＡ４では、洗浄された部品から器具が組立てられたり、手術セットに含まれる器具が集められて手術セットとして一纏めにされたりする。器具が組立てられるときには、必要な潤滑油などが塗布されたりする。
【００７４】
組立エリアＡ４では、例えば、リーダー１１ｄによって、手術セットに含まれる器具の個体情報が検知されると、当該器具ＩＤと手術セットのセットＩＤとが特定される。そして、手術セットに含まれる器具の一覧が表示される。また、この際、組立エリアＡ４で施す必要がある組立て作業が画面上表示されるとよい。例えば、器具の組み立ての際に塗布する潤滑油などが予め定められているような場合には、そのことが表示されるように構成されているとよい。
【００７５】
また、器具や手術セットは、所定の袋や容器に収容される。その際、梱包材や梱包方法などが合わせて記録されるとよい。ここで、梱包材には、不織布や滅菌バッグやコンテナやトレーなどがある。梱包方法としては不織布でくるんだり、滅菌バッグに収容したり、さらに不織布でくるんだ状態で滅菌バッグに収容することなどがある。手術セットに含まれるべき器具が全て含まれていることがチェックされつつ、梱包されるとよい。この際、表示装置１２ｄにおいて、手術セットに含まれる器具の一覧が表示され、器具が梱包されるにリーダー１１ｄによって器具の個体情報を検知しつつ、梱包されるとよい。そして、器具の一覧において梱包された器具の表示を変化させるとよい。梱包された器具の表示が表示装置１２ｄにおいて変化することによって、作業者は、梱包されていない器具を容易に確認できる。これによって、手術セットに含まれるべき器具が欠落したり、誤って他の器具が手術セットに入ったりするのが防止されうる。
【００７６】
器具や手術セットは、例えば、袋や容器に梱包されて密閉される。手術セットに含まれない器具は個品で梱包される。手術セットは、例えば、一纏めとして梱包される。梱包された袋や容器には、袋や容器を識別するための個体情報が付されているとよい。そして、当該袋や容器に付された個体情報と、収容された器具を特定するための器具ＩＤや手術セットを特定するためのセットＩＤが関連付けられて記憶されるとよい。例えば、梱包作業において、リーダー１１ｄで、袋や容器に付された個体情報と、袋や容器に収容する器具または手術セットの個体情報とを読み取りつつ、当該器具または手術セットを袋や容器に収容する。この際、システム１０は、袋や容器の個体情報と、収容された器具または手術セットの個体情報を関連付けて記憶するとよい。これにより、後工程において、袋や容器に付された個体情報に基づいて、収められた手術セットのセットＩＤや器具の器具ＩＤが特定されうる。
【００７７】
このように組立エリアＡ４では、例えば、リーダー１１ｃによって読み取られる袋や容器の個体情報に関連付けて、組立エリアＡ４での作業情報が記憶される。組立エリアＡ４での作業情報には、袋や容器に収容された器具の器具ＩＤや手術セットのセットＩＤ、作業者や組立作業においてリーダー１１ｃに個体情報が読み取られた日時、作業者を特定するためのユーザーＩＤなどが含まれうる。また、併せて袋や容器の個体情報と、収容された器具または手術セットの個体情報が、関連付けて記憶されるとよい。
【００７８】
〈滅菌エリアＡ５の作業情報〉
滅菌エリアＡ５では、器具や手術セットは袋や容器などの梱包材に収容された状態で取り扱われる。滅菌エリアＡ５では、例えば、リーダー１１ｅによって、袋や容器に付された個体情報が読み取られる。そして、当該個体情報に基づいて器具や手術セットが特定される。そして、当該器具や手術セットに予め定められた滅菌処理が施される。
【００７９】
この実施形態では、当該器具ＩＤやセットＩＤに関連付けて滅菌処理が予め記憶されたデータベースが予め用意されている。滅菌エリアＡ５では、リーダー１１ｅによって、袋や容器に付された個体情報が読み取られ、当該袋や容器に収容された器具の器具ＩＤや手術セットのセットＩＤが特定される。そして、当該器具ＩＤやセットＩＤに基づいて、滅菌エリアＡ５での滅菌処理が特定され、表示装置１２ｅにおいて表示されるようにシステム１０が構成されているとよい。
【００８０】
これにより、袋や容器に収容された器具や手術セットに施すべき滅菌処理が、作業者において容易に理解されるようになっているとよい。また、滅菌エリアＡ５では、例えば、オートクレーブのような滅菌処理機にリーダー１１ｅがさらに備え付けられているとよい。この場合、リーダー１１ｅで、袋や容器に付された個体情報を読み取ってから滅菌処理機に投入されるように構成されているとよい。これにより、予め定められた滅菌処理の条件（温度や処理時間）で滅菌処理が施されるように構成されているとよい。また、システム１０は、リーダー１１ｅによって袋や容器に付された個体情報が読み取られたときに、投入されるべき滅菌処理機や滅菌処理機に設定されている滅菌処理の条件が適当でない場合には、アラームが鳴るなどして、作業者のミスが防止されるように構成されていてもとよい。
【００８１】
かかる滅菌エリアＡ５では、例えば、リーダー１１ｄによって袋や容器に付された個体情報が読み取られる。そして、袋や容器に付された個体情報に関連付けられて器具ＩＤやセットＩＤが特定される。そして、袋や容器に付された個体情報や器具ＩＤやセットＩＤに関連付けて滅菌エリアＡ５での作業情報が記憶される。滅菌エリアＡ５での作業情報には、例えば、滅菌方法や滅菌処理の条件が含まれているとよい。具体的には、滅菌処理に用いられた滅菌処理機、滅菌の温度や処理時間などの条件、滅菌処理の終了日時、作業者などの情報がさらに含まれうる。
【００８２】
〈保管エリアＡ６の作業情報〉
保管エリアＡ６では、滅菌後の器具や手術セットが保管される。保管エリアＡ６では、リーダー１１ｆによって、袋や容器に付された個体情報が読み取られる。そして、袋や容器に付された個体情報に関連付けて器具ＩＤやセットＩＤが特定される。収容された器具の器具ＩＤおよび手術セットのセットＩＤを特定した上で袋や容器を仕分けして適当な場所に保管するとよい。保管エリアＡ６で記録される作業情報には、例えば、器具や手術セットの保管場所や保管された日時などの情報が含まれているとよい。器具や手術セットの保管場所が記録されていることによって、器具や手術セットの取り出しが容易になる。また、保管された日時が記録されていることによって、器具や手術セットが保管エリアＡ６に保管されている期間が算出される。
【００８３】
〈リペアエリアＡ７の作業情報〉
リペアエリアＡ７では、器具や手術セットの修理や点検などが実施される。リペアエリアＡ７では、リーダー１１ｇによって、器具や手術セットの個体情報が特定され、器具ＩＤやセットＩＤが特定される。リペアエリアＡ７では、例えば、器具や手術セットに実施された修理や点検などの処置や器具や手術セットが搬入された日時や搬出された日時が記録される。さらに、リペアエリアＡ７で実施された作業内容、作業日時などが記録されるとよい。さらに、リペア作業が必要となった要因に関する情報が含まれていてもよい。
【００８４】
ここで、リペア作業の作業情報には、リペア作業が必要となった要因は、例えば、メスの刃こぼれや、鉗子などの噛み合わせ不良や可動部の引っ掛かり、錆びなどが記録される。さらに、鉗子などの噛み合わせ不良の要因などとして、経年使用、過度な力、落下、メッキ剥がれなどが記録されるとてもよい。なお、これらリペア作業が必要となった要因は、予め作成されたマスターデータにおいて適宜にコード化されているとよい。さらに、リペア作業の作業情報には、リペア作業に要するコストに関する情報が含まれていてもよい。リペア作業に要するコストとしては、例えば、リペア作業を委託した業者が請求した費用が記録されるとよい。
【００８５】
この場合、リペア作業を委託した業者において、作業内容や請求データが電子化されている場合には、システム１０は、リペア作業の作業情報として読取るように構成されていてもよい。また、リペア作業に要するコストが、器具や手術セット毎、あるいは、作業内容毎に単価が定められている場合には、単価がマスターデータとして記憶されているとよい。この場合、器具ＩＤやセットＩＤ、あるいは、作業内容が特定されると、リペア作業に要するコストが導き出されるように構成されていてもよい。
【００８６】
なお、上述のように、リペアエリアＡ７には、リーダー１１ｇや操作端末１３ｇが用意されない場合がある。この場合には、他のエリアのリーダー１１ａ〜１１ｆや操作端末１３ａ〜１３ｆによって、器具や手術セットが特定され、かつ、器具や手術セットに実施された修理や点検などの処置や器具や手術セットが搬入された日時や搬出された日時が記録されるように構成されているとよい。これらの情報は、例えば、リペアエリアＡ７に器具や手術セットを搬出した搬出元のエリアやリペアエリアＡ７から器具や手術セットが搬出される搬出先に設置されたリーダー１１や操作端末１３によって入力されるように構成されているとよい。
【００８７】
〈記録される作業情報の例〉
上述のように、記録される作業情報や記録される項目は、各エリアＡ１〜Ａ７によって異なる。システム１０の記憶装置１４０には、例えば、各エリアＡ１〜Ａ７の作業情報を記憶するための予め定められたフォーマットのテーブル（情報記憶テーブル）が用意されているとよい。各エリアＡ１〜Ａ７の作業情報は、エリアＡ１〜Ａ７毎にそれぞれ用意されたテーブルの各フィールドにそれぞれ記憶されるとよい。
【００８８】
図４は、回収エリアＡ２での作業情報を記録したテーブル４２０を示す図である。図５は、滅菌エリアＡ５での作業情報を記録したテーブル４４０を示す図である。図６は、リペアエリアＡ７での作業情報を記録したテーブル４６０を示す図である。これらのテーブルは各エリアで記録される作業情報の一例を示している。
【００８９】
回収エリアＡ２では、例えば、手術セットの器具がばらばらの状態で手術エリアＡ１から回収される。回収エリアＡ２では、回収場所および作業者を特定し、リーダー１１ｂで器具に付された個体情報を読み取りつつ、回収するとよい。これにより、図４に示されたテーブル４２０のように、セットＩＤ、器具ＩＤ、部品ＩＤ、回収場所、作業者、作業日時に関する各欄４２１〜４２６に情報が入力される。なお、回収エリアＡ２で記録される作業情報の記録は、図４の例に限定されない。回収エリアＡ２で記録される作業情報の記録には、さらに詳細な情報が含まれうる。
【００９０】
滅菌エリアＡ５では、例えば、リーダー１１ｅで袋や容器に付与された個体情報が読み取られることによって、袋や容器に収容された手術セットのセットＩＤや器具の器具ＩＤが特定される。そして、滅菌エリアＡ５では、セットＩＤや器具ＩＤで特定された手術セットや器具に対して必要な滅菌方法や滅菌条件が滅菌処理機に設定される。そして、リーダー１１ｅで袋や容器に付与された個体情報が読みとりつつ、滅菌処理機に手術セットや器具をセットするとよい。例えば、滅菌処理では、適切な滅菌が施されたかインジケータが器具や手術セットを梱包した梱包材に取付けられることがある。この場合、インジケータは、所定の条件で色が変化したりする。滅菌エリアＡ５では、器具や手術セットにインジケータが取付けられるとよい。なお、インジケータは組立エリアＡ４で取り付けられてもよい。また、滅菌処理機から取り出される際も、袋や容器に付与された個体情報がリーダー１１ｅによって読み取られて滅菌処理の終了時刻が記録されるとよい。
【００９１】
これにより、図５に示されたテーブル４４０のように、セットＩＤ、器具ＩＤ、部品ＩＤ、梱包材、滅菌方法、滅菌条件、有効期間、作業者、作業日時に関する各欄４４１〜４４９に情報が入力される。なお、滅菌エリアＡ５で記録される作業情報の記録は、図５の例に限定されない。滅菌エリアＡ５で記録される作業情報の記録には、さらに詳細な情報が含まれうる。滅菌エリアＡ５での作業情報の記録として、例えば、滅菌処理後のインジケータの画像データが含まれていてもよい。
【００９２】
ここで、有効期間の欄４４７には、滅菌処理の効果が有効とされる期間が入力される。
滅菌処理の有効期間は、滅菌方法と滅菌条件とから有効期間が定まるように構成されていてもよい。この場合、滅菌方法と滅菌条件と有効期間との関係が、システム１０のマスターデータとして予め記録されていてもよい。また、滅菌処理の有効期間は、梱包方法と滅菌方法と滅菌条件とから有効期間が定まるように構成されていてもよい。この場合、梱包方法と滅菌方法と滅菌条件と有効期間との関係が、システム１０のマスターデータとして予め記録されているとよい。例えば、梱包方法と、滅菌方法と、滅菌条件とが、滅菌エリアＡ５で入力されると、マスターデータに基づいて有効期間が入力されるように構成されるとよい。
【００９３】
作業日時に関する欄４４９には、例えば、滅菌処理が終わり滅菌処理機から取り出される際に袋や容器に付与された個体情報がリーダー１１ｅによって読み取られた時の時刻が記録されるとよい。
【００９４】
リペアエリアＡ７では、例えば、図６に示されているように、リペアエリアＡ７に搬入された器具や手術セットについての器具ＩＤやセットＩＤ、および、リペアエリアＡ７に搬入された日時、リペアエリアＡ７での作業情報、作業者（ユーザーＩＤ）、リペアエリアＡ７で作業された日時、リペアエリアＡ７から搬出された日時、リペア作業が必要となった要因としてのリペア要因、リペア作業に要するコストが記録される各欄４６１〜４６９に情報が入力される。ここで例示される情報以外にも適宜に情報が入力されてもよい。この実施形態では、作業者（ユーザーＩＤ）、リペアエリアＡ７で作業された日時の情報が入力されるが、これらの情報はなくてもよい。器具や手術セットに対して、リペアエリアＡ７での作業情報が複数ある場合には、作業毎に入力されてもよい。
【００９５】
このように、システム１０では、リペア作業の作業情報を含む器具の作業履歴が、器具ＩＤに関連付けられて記憶される。また、リペア作業の作業情報を含む手術セットの作業履歴が、セットＩＤに関連付けられて記憶される。このため、システム１０は、例えば、リペア中の器具や手術セットの抽出などに利用され、修理の状況を含む器具や手術セットの状態に関する情報を利用者に提供できる。
【００９６】
システム１０の処理装置１００には、各エリアＡ１〜Ａ７でのリーダー１１ａ〜１１ｇで読み取られた個体情報および個体情報に関連付けて記憶された作業情報が収集されるように構成されているとよい。これにより、このシステム１０で管理される器具や手術セットの各エリアＡ１〜Ａ６での情報が収集され、一元管理される。そして、例えば、ある特定の器具がいつどのエリアでどのような作業が施されたかの作業情報が時系列に抽出できる。例えば、図４〜図６に示された、テーブル４２０、テーブル４４０、リペアエリアＡ７において、器具ＩＤやセットＩＤの入力は、リーダー１１ａ〜１１ｇで読み取られた個体情報に基づいて、器具ＩＤやセットＩＤのマスターデータが参照されるとよい。
【００９７】
システム１０の処理装置１００は、例えば、各エリアＡ１〜Ａ７の操作端末１３ａ〜１３ｇから各エリアＡ１〜Ａ６で記録された作業情報を収集するように構成されているとよい。これにより、器具ＩＤに関連付けて、当該器具ＩＤで特定される器具の作業履歴が処理装置１００に記憶される。また、セットＩＤに関連付けて、当該セットＩＤで特定される手術セットの作業履歴が処理装置１００に記憶される。
【００９８】
このように、第３記憶部１０３と第４記憶部１０４は、各操作端末１３ａ〜１３ｇから各エリアＡ１〜Ａ６で記録された作業情報を収集するように構成されているとよい。その結果、当該器具ＩＤで特定される器具の作業履歴を含む情報が、器具ＩＤに関連付けて記憶されるとよい。同様に、当該セットＩＤで特定される手術セットの作業履歴を含む情報が、セットＩＤに関連付けて記憶されるとよい。器具の作業履歴や手術セットの作業履歴には、リペア作業の作業情報が含まれているとよい。
【００９９】
なお、器具ＩＤに関連付けて記憶される器具の作業履歴は、器具ＩＤ毎に１つのデータベースとして記憶されている必要はない。セットＩＤに関連付けて記憶される手術セットの作業履歴は、セットＩＤ毎に１つのデータベースとして記憶されている必要はない。
【０１００】
システム１０は、例えば、処理装置１００に記憶された作業情報から器具ＩＤに基づいて作業情報を抽出し、作業時刻に基づいて順に並べることによって、器具ＩＤで特定される器具の作業履歴が適宜に得られる。また、処理装置１００に記憶された作業情報からセットＩＤに基づいて作業情報を抽出し、作業時刻に基づいて順に並べることによって、セットＩＤで特定される手術セットの作業履歴が適宜に得られる。
【０１０１】
図７は、ある器具の作業履歴を抽出したデータのテーブル例を示す図である。図７に示されたテーブル４８０では、器具ＩＤ、エリア（エリアＩＤ）、作業者（ユーザＩＤ）、搬入日時、作業日時、搬出日時、梱包方法、滅菌方法、有効期間の項目４８１〜４８９が順に抽出されて一覧表が形成されている。
【０１０２】
例えば、図７に示されたテーブル４８０によれば、器具ＩＤ「ＢＭ１」で特定される器具は、回収エリアＡ２で回収された後、ｋ１のタイミングにおいて洗浄エリアＡ３で洗浄される。その後、ｋ２のタイミングで、リペアエリアＡ７に搬入され、かつ、所定のリペア作業が実施される。その後、リペアエリアＡ７から組立エリアＡ４に搬出され、ｋ３のタイミングで組立作業が実施される。手術セットについても、図７と同様に作業履歴を抽出することができる。これにより、手術セット単位でも、リペア作業を含む作業履歴が得られる。
リペア作業は、上述のように、手術→回収（振分け）→洗浄→組立（封止）→滅菌→保管という通常使用のサイクルから外れ、外部委託されるが、このシステム１０によれば、器具や手術セットが修理に出されているか否かなどを把握することが容易になる。
このように、このシステム１０は、リペア作業を含む器具や手術セットの作業履歴を得るように構成されうる。
【０１０３】
〈システム１０の処理〉
システム１０は、例えば、以下のような処理部を備えているとよい。
第１処理部２０１は、器具の作業履歴に基づいて、リペア中の器具を抽出するように構成されている。例えば、手術に使われる器具に不足が生じている場合に、器具不足の原因が、器具が足りていないことが原因であるのか、リペア作業に出されていることが原因なのかが分かるようになる。システム１０の利用者は、かかるシステム１０から得られる情報を基に、器具を購入すべきか借用すべきかを判断することがしやすくなる。
【０１０４】
第２処理部２０２は、手術セットの作業履歴に基づいて、リペア中の手術セットを抽出するように構成されている。かかる第２処理部２０２によれば、例えば、システム１０の利用者は、かかるシステム１０から得られる情報を基に、手術セットが足りていない原因を把握することができ、器具を購入すべきか借用すべきかを判断することがしやすくなる。なお、ここで、第１処理部２０１は、システム１０によって任意の時期が設定されて、設定された時期におけるリペア中の器具を抽出するように構成されてもよい。また、第２処理部２０２は、システム１０によって任意の時期が設定されて、設定された時期におけるリペア中の手術セットを抽出するように構成されてもよい。
【０１０５】
このように、第１処理部２０１や第２処理部２０２によって、システム１０の利用者は、任意の時期におけるリペア中の器具や手術セットを把握することができる。例えば、システム１０の利用者は、ある任意の時期において、器具や手術セットが足りず、器具や手術セットが借用された場合などにおいて、当該時期に器具や手術セットが足らなくなった原因を事後的に分析できるようになる。また、リペア中の器具や手術セットの数や割合を把握したり、リペア中の器具や手術セットの数や割合の推移を把握したりすることができる。リペア中の器具や手術セットの数や割合は、例えば、円グラフや棒グラフなどで表され、また、リペア中の器具や手術セットの数や割合の推移は、折れ線グラフなどで表されうる。
【０１０６】
第３処理部２０３は、器具や手術セットのリペア率を算出するように構成されていてもよい。ここで、リペア率は、所定の期間内でリペア作業に出されている期間の割合である。例えば、リペア率＝リペアに出されている期間／所定の期間という式で算出されうる。この場合、リペア率が高いほど、器具や手術セットがリペア作業に出されている期間の割合が高く、稼働率が低いことが想定される。
【０１０７】
かかる第３処理部２０３によれば、システム１０は、器具や手術セットのリペア率を利用者に提供できる。利用者は、例えば、リペア率が高い器具や手術セットを把握することができる。リペア率が高い器具や手術セットは、ランニングコストが高い。この場合、利用者は、新しい器具や手術セットに買い換えることを検討しうる。また、リペア率が高い器具や手術セットは、リペア率が低い他の器具や手術セットに置き換えてもよいかも知れない。システム１０は、そのような判断の根拠を利用者に提供しうる。
【０１０８】
また、第３処理部２０３は、リペア率に基づいて器具や手術セットを抽出するようにさらに構成されていてもよい。例えば、予め定められた割合よりもリペア率が高い器具や手術セットが抽出されるように構成してもよい。反対に、予め定められた割合よりもリペア率が低い器具や手術セットが抽出されるように構成されてもよい。
かかる第３処理部２０３によれば、システム１０の利用者は、リペア率が高い器具や手術セットやリペア率が低い器具や手術セットを把握することが容易になる。
【０１０９】
第３処理部２０３は、リペア率に基づいて器具や手術セットを比較するようにさらに構成されていてもよい。システム１０は、例えば、同種の器具や手術セットでもリペア率が異なることなど、器具や手術セット単位でリペア率を比較した情報を利用者に提供できる。
【０１１０】
例えば、図３に示されているように、第１記憶部１０１には、所属に関する情報が器具ＩＤに関連付けて記憶されているとよい。第２記憶部１０２には、所属に関する情報がセットＩＤに関連付けて記憶されているとよい。この場合、システム１０は、器具、手術セットまたは所属毎に器具または手術セットを抽出するように構成された第４処理部２０４をさらに備えているとよい。
ここで、所属に関する情報は、例えば、器具や手術セットを所有する病院や診療科でありうる。この場合、システム１０は、同種の器具や手術セットでも、病院や診療科によって器具や手術セットのリペア率が異なることを利用者に提供できる。また、所属に関する情報は、病院や診療科に限らず、例えば、器具や手術セットのメーカーや型式に関する情報でもよい。この場合、システム１０は、同種の器具や手術セットにおいて、メーカーや型式によってリペア率が異なることを、利用者に提供できる。また、所属に関する情報は、病院や診療科に限らず、例えば、器具や手術セットのメーカーや型式に関する情報でもよい。
【０１１１】
第４処理部２０４は、所属毎に、器具または手術セットのリペア率を算出するように構成されていてもよい。この場合、システム１０は、例えば、同種の器具や手術セットでも、病院や診療科やメーカーや型式などの所属によって異なるリペア率に関する情報を、利用者に提供できる。システム１０の利用者は、例えば、病院や診療科によって、リペア率が高い場合には、病院や診療科の使用態様に問題がないかチェックしたり、リペア率を改善するための使用方法の見直しを提案したりすることができる。また、メーカーや型式などによってリペア率が高い場合には、購入する器具や手術セットのメーカーや型式の選定に利用されうる。
【０１１２】
第４処理部２０４は、リペア率に基づいて器具や手術セットの所属を抽出するようにさらに構成されていてもよい。この場合、リペア率が高い病院や診療科やメーカーや型式など、リペア率が高い器具や手術セットの所属に関する情報がシステム１０の利用者に提供される。システム１０の利用者は、リペア率が高い器具や手術セットの所属に関する情報を特定することが容易になる。
この場合、第４処理部２０４は、リペア率に基づいて所属を比較するようにさらに構成されていてもよい。システム１０は、器具や手術セットの所属毎のリペア率を比較した情報を提供できる。このため、システム１０の利用者は、器具や手術セットのリペア率が高い所属、つまり、リペア率が高い病院や診療科やメーカーや型式などの把握が容易になる。この場合、所属毎にリペア率を棒グラフで表すなどして、所属毎にリペア率を比較したデータが提供されるように構成されてもよい。また、システム１０は、リペア率に限らず、リペア中の器具や手術セットの数や割合が、所属毎に比較されるように構成されていてもよい。この場合、例えば、リペア中の器具や手術セットの数や割合が、所属毎に棒グラフや円グラフで表されるように構成されているとよい。リペア中の器具や手術セットの数や割合の推移が、所属毎に折れ線グラフで表されるように構成されていてもよい。
【０１１３】
第５処理部２０５は、リペア率を算出するための期間Ｚ１を設定する。この場合、リペア率は、期間Ｚ１における器具や手術セットがリペアに要した期間の割合で算出されるようになる。かかる第５処理部２０５によれば、システム１０の利用者は、リペア率を算出するための期間Ｚ１を任意に設定できる。このため、システム１０は、任意の期間にけるリペア率を算出でき、利用者に提供できる。この場合、利用者は、修理期間が長引いたために、稼働率の低い器具や手術セットなどを把握することが容易になる。
【０１１４】
この実施形態では、図６に示されているように、リペア作業の作業情報には、リペア作業が必要となった要因に関する情報が含まれている。第６処理部２０６は、リペア作業が必要となった要因毎に、器具や手術セットを抽出するように構成されているとよい。
かかる第６処理部２０６によれば、リペア作業が必要となった要因毎に器具や手術セットが抽出される。このため、システム１０の利用者は、リペア作業が必要となった要因毎に器具や手術セットの分析が可能になる。
さらに、第７処理部２０７は、器具や手術セットがリペアに要した期間を、リペア作業が必要となった要因毎に仕分けするように構成されている。かかる第７処理部２０７によれば、システム１０の利用者は、リペア作業が必要となった要因毎に、リペアに要する期間の分析が可能になる。
このように、システム１０は、リペア要因の分析や作業改善に使える種々の情報を利用者に提供できる。
【０１１５】
この実施形態では、図６に示されているように、リペア作業の作業情報には、リペア作業に要するコストに関する情報が含まれている。第８処理部２０８は、リペア作業の作業情報に基づいて、器具や手術セットのリペアに要したコストを算出するように構成されている。
【０１１６】
この場合、第８処理部２０８は、例えば、予め定められた期間Ｚ２において、リペア作業に要したコストを算出するように構成されているとよい。この場合、期間Ｚ２が、例えば、過去１年と設定される場合には、過去１年に遡って、器具や手術セットのリペア作業に要したコストを合算し、過去１年間において器具や手術セットのリペア作業に要したコストが算出される。期間Ｚ２は、過去１年に限らず、任意の期間が設定されうる。
【０１１７】
第８処理部２０８は、算出されたコストに基づいて器具や手術セットを比較するように構成されていてもよい。つまり、第８処理部２０８は、いくつかの器具や手術セットについて、リペア作業に要したコストをそれぞれ算出し、それらを比較する機能を備えているとよい。
比較する処理としては、例えば、比較する器具や手術セットと、リペア作業に要したコストを表形式で並べて表示装置１２に表示されるように構成されていてもよい。また、リペア作業に要したコストに応じて器具や手術セットが順に並ぶように表示順が変更されるように構成されてもよい。また、リペア作業に要したコストに応じて器具や手術セットの表示欄の色を変えてもよい。また、コストの高い器具や手術セットほど色が濃くなるように色分けしてもよい。
このように、リペア作業に要したコストを器具や手術セット毎にそれぞれ算出し、それらが比較される。これによって、リペア作業に要したコストが高い器具や手術セットに関する情報が抽出されて、システム１０の利用者に提供される。利用者は、リペア作業に要したコストが高い器具や手術セットを把握するのが容易になる。
【０１１８】
また、システム１０は、各器材のリペア作業の作業者毎のリペア作業に要したコストに基づいて、最も安価に修理できる業者を抽出したり、各器材のリペア作業の作業者と、リペア作業に要したコストと一覧表にして表示したりできるように構成されていてもよい。また、システム１０は、器材毎の修理コストと購入コストをランニングコストとして集計したり、かかるランニングコストを使用回数で除して一回当たりのコストを算出したりして提示するように構成されていてもよい。
これにより、器材を新規購入するか借用するかの判断材料が提示されうる。
【０１１９】
また、システム１０は、ユーザーＩＤを基に作業者毎や外部業者毎に修理コストを集計したり、外部業者間での同一機材の修理コストを比較したり、修理期間を比較したりすることができるように構成されていてもよい。
これにより、最適な業者を選択することが容易になりうる。
【０１２０】
このように、システム１０は、器具ＩＤに関連付けて、リペア作業の作業情報を含む当該器具ＩＤで特定される器具の作業履歴を記憶するように構成された第３記憶部１０３と、セットＩＤに関連付けて、リペア作業の作業情報を含む当該セットＩＤで特定される手術セットの作業履歴を記憶するように構成された第４記憶部１０４とを備えている。
かかるシステム１０によれば、器具や手術セットのリペア作業の作業情報を含む器具や手術セットの作業履歴が得られる。さらに、システム１０は、かかる器具や手術セットの作業履歴を基に、リペア中の器具や手術セットの数や割合、リペア率などが得られるように構成されているとよい。これによって、リペア中の器具や手術セットの数や割合、リペア率などが、システム１０の利用者に提供される。
【０１２１】
ここでシステム１０は、処理装置１００に情報が集約されて所定の処理がされる。各操作端末１３ａ〜１３ｇは、同様に処理装置１００から情報を得て、処理装置１００と同様の処理が行えるようにしてもよい。つまり、操作端末１３ａ〜１３ｇは、それぞれ単独でシステム１０としての機能を奏するように構成されていてもよい。また、操作端末１３ａ〜１３ｇは、処理装置１００と双方向に通信して連携し、処理装置１００で演算された結果を受けて操作端末１３ａ〜１３ｇに所要の情報が表示されるようにしてもよい。また、クライアント端末としての操作端末１３ａ〜１３ｇは、カメラ付きのタブレット端末で構成されてもよい。この場合、タブレット端末に備え付けられたカメラが、リーダー１１ａ〜１１ｇの検知部として機能するように構成されてもよい。また、タブレット端末の画面が、表示装置１２ａ〜１２ｈとして機能するように構成されてもよい。
【０１２２】
また、このシステム１０では、複数の病院で使われる手術セットや器具に関する情報を処理装置１００に集約するなどして纏めて管理することが可能である。この場合、各病院に手術エリアＡ１や回収エリアＡ２などが設置される。システム１０では、各エリアＡ１〜Ａ７の操作端末１３ａ〜１３ｇや処理装置１００は、通信ネットワーク１４を通じて双方向通信可能に接続されているとよい。また、クラウドコンピューティング技術により、器具や手術セットの作業履歴や器具や手術セットの稼働率などが、このシステム１０に接続された外部端末２１によって利用可能に提供されるとよい。
【０１２３】
例えば、図１や図２に示されているように、通信ネットワーク１４を通じてシステム１０に外部端末２１が接続されているとよい。また、器具や手術セットの作業履歴や器具や手術セットの稼働率などは、このシステム１０から予め定められた端末に予め定められたタイミングで通信ネットワーク１４を通じて配信されるように構築されてもよい。また、リペア中の器具や手術セットの数や、リペア率などのデータは、予め定められたフォーム（ダッシュボードとも称される）で外部端末２１に表示されるように構成されているとよい。
【０１２４】
外部端末２１は、各エリアＡ１〜Ａ７に設置されない端末でありうる。例えば、手術や回収などの作業を行わない、病院の事務管理、経理、在庫管理、または、器具や手術セットの調達を行う部署などに設置された端末などからシステム１０にアクセスでき、システム１０で管理される器具や手術セットの情報が取得されうる。また、外部端末２１は、スマートフォンやタブレットやラップトップパソコンなど、通信ネットワーク１４に接続可能な携帯端末であり得る。この場合、任意の場所からシステム１０にアクセスすることができ、システム１０で管理される器具や手術セットの情報が取得されうる。
【０１２５】
システム１０は、外部端末２１に対する所要の認証処理や機能を制限処理が適宜に組み込まれていてもよい。この場合、システム１０は、外部端末２１にインストールされているウェブブラウザによって閲覧可能なウエブサイトを用意するように構成されているよい。システム１０は、用意されたウエブサイトを通じて外部端末２１の認証処理が行われたり、外部端末２１からの要求に応じて所定のサービスが提供されたりするように構成されているとよい。
【０１２６】
このようにシステム１０は、システム１０で提供しうる種々のデータが、通信ネットワーク１４を介して接続された外部端末２１からの要求に応じて、外部端末２１に表示されるように構成されうる。システム１０で提供しうる種々のデータは、ここで例示されるものに限らない。システム１０の記憶装置に記憶された情報、システム１０の各種処理によって演算あるいは抽出された情報、あるいは、作成されたグラフや一覧表は、システム１０で提供しうるデータになり得る。
【０１２７】
以上の通りに、ここで提案される手術セットおよび器具の管理システムの一実施形態を種々説明したが、ここで提案される手術セットおよび器具の管理システムは、上述した実施形態に限定されない。また、ここで提案される手術セットおよび器具の管理システムは、種々変更でき、特段の問題が生じない限りにおいて、各構成要素やここで言及された各処理は適宜に省略され、または、適宜に組み合わされうる。
【符号の説明】
【０１２８】
１０  手術セットおよび器具の管理システム
１１ａ-１１ｇ  リーダー
１２ａ-１２ｇ  ディスプレイ
１２ａ-１２ｈ  表示装置
１３ａ-１３ｇ  操作端末
１４  通信ネットワーク
２１  外部端末
１００  処理装置
【図１】
2020021304.tif 000003
【図２】
2020021304.tif 000004
【図３】
2020021304.tif 000005
【図４】
2020021304.tif 000006
【図５】
2020021304.tif 000007
【図６】
2020021304.tif 000008
【図７】
2020021304.tif 000009